(57)【要約】【課題】回路規模及び処理負荷の増大を抑えつつ、抑圧の精度を向上すること。【解決手段】ピーク抑圧装置は、第１ピーク位置検出部と、第２ピーク位置検出部と、抑圧信号生成部と、加算部とを備える。第１ピーク位置検出部は、送信信号の振幅変化が凸であり、かつ閾値を超えた場合に、該送信信号の振幅の時間軸上の位置を第１ピーク位置として検出する。第２ピーク位置検出部は、第１ピーク位置検出部によって検出された第１ピーク位置から時間軸上で所定の距離だけ離れた位置に対応する送信信号の振幅が閾値を超えた場合に、当該位置を第２ピーク位置として検出する。抑圧信号生成部は、第１ピーク位置検出部及び第２ピーク位置検出部によって検出された第１ピーク位置及び第２ピーク位置に対応する送信信号の振幅及び位相を用いて、送信信号の振幅を閾値以下まで抑圧するための抑圧信号を生成する。加算部は、抑圧信号生成部によって生成された抑圧信号を送信信号に加算する。【選択図】図２
2013118447.tif 000002
【特許請求の範囲】
【請求項１】
送信信号の振幅変化が凸であり、かつ閾値を超えた場合に、該送信信号の振幅の時間軸上の位置を第１ピーク位置として検出する第１ピーク位置検出部と、
前記第１ピーク位置検出部によって検出された第１ピーク位置から時間軸上で所定の距離だけ離れた位置に対応する前記送信信号の振幅が前記閾値を超えた場合に、当該位置を第２ピーク位置として検出する第２ピーク位置検出部と、
前記第１ピーク位置検出部及び前記第２ピーク位置検出部によって検出された第１ピーク位置及び第２ピーク位置に対応する前記送信信号の振幅及び位相を用いて、前記送信信号の振幅を前記閾値以下まで抑圧するための抑圧信号を生成する抑圧信号生成部と、
前記抑圧信号生成部によって生成された抑圧信号を前記送信信号に加算する加算部と
を備えたことを特徴とするピーク抑圧装置。
【請求項２】
前記抑圧信号生成部は、
インパルス状の信号であるインパルス応答信号を生成するインパルス応答信号生成部と、
前記第１ピーク位置及び前記第２ピーク位置に対応する前記送信信号の振幅及び位相をラッチするラッチ部と、
前記ラッチ部によってラッチされた前記送信信号の振幅と前記閾値との差を前記抑圧信号の振幅として含み、かつ、ラッチされた前記送信信号の位相を前記抑圧信号の位相として含むパラメータである振幅位相パラメータを算出する振幅位相パラメータ算出部と、
前記振幅位相パラメータ算出部によって算出された振幅位相パラメータを前記インパルス応答信号に乗算して前記抑圧信号を生成する乗算部と
を含むことを特徴とする請求項１に記載のピーク抑圧装置。
【請求項３】
前記加算部によって前記抑圧信号が加算された前記送信信号である合成信号に対して帯域制限処理を実行する帯域制限フィルタ部をさらに備え、
前記抑圧信号生成部のインパルス応答信号生成部は、
前記合成信号に対して帯域制限処理が実行された場合に当該帯域制限処理において前記合成信号の振幅が変化する量である振幅変化量を予め含んだ振幅を有する、インパルス状の信号を前記インパルス応答信号として生成することを特徴とする請求項２に記載のピーク抑圧装置。
【請求項４】
前記第２ピーク位置検出部は、前記インパルス応答信号が時間軸と交差する位置である交差位置に対応する前記送信信号の振幅が前記閾値を超えた場合に、当該交差位置を前記第２ピーク位置として検出することを特徴とする請求項２又は３に記載のピーク抑圧装置。
【請求項５】
前記第２ピーク位置検出部は、前記交差位置に隣接する少なくとも２つの前記送信信号のサンプリング位置に対応する前記送信信号の振幅が前記閾値を超えた場合に、当該サンプリング位置を前記第２ピーク位置として検出し、
前記抑圧信号生成部の前記ラッチ部は、前記サンプリング位置に対応する前記送信信号の振幅及び位相をラッチし、
前記抑圧信号生成部は、前記ラッチ部によってラッチされた、前記サンプリング位置に対応する前記送信信号の振幅及び位相に対して補間処理を行うことにより、前記交差位置に対応する前記送信信号の振幅及び位相を算出する補間処理部をさらに備え、
前記抑圧信号生成部の前記振幅位相パラメータ算出部は、前記補間処理部によって算出された、前記交差位置に対応する前記送信信号の振幅と前記閾値との差を前記抑圧信号の振幅として含み、かつ、前記補間処理部によって算出された、前記交差位置に対応する前記送信信号の位相を前記抑圧信号の位相として含む振幅位相パラメータを算出することを特徴とする請求項４に記載のピーク抑圧装置。
【請求項６】
送信信号の振幅変化が凸であり、かつ閾値を超えた場合に、該送信信号の振幅の時間軸上の位置を第１ピーク位置として検出する第１ピーク位置検出部と、
前記第１ピーク位置から時間軸上で所定の距離だけ離れた位置に対応する前記送信信号の振幅が前記閾値を超えた場合に、当該位置を第２ピーク位置として検出する第２ピーク位置検出部と、
前記第１ピーク位置及び前記第２ピーク位置に対応する前記送信信号の振幅及び位相に基づいて、前記送信信号の振幅を前記閾値まで抑圧するための抑圧信号を生成する抑圧信号生成部と、
前記抑圧信号を前記送信信号に合成する抑圧信号合成部と
前記抑圧信号合成部から出力される信号を増幅する増幅部と
を備えたことを特徴とする無線通信装置。
【請求項７】
ピーク抑圧装置により実行されるピーク抑圧方法であって、
前記ピーク抑圧装置が、
送信信号の振幅変化が凸であり、かつ閾値を超えた場合に、該送信信号の振幅の時間軸上の位置を第１ピーク位置として検出し、
前記第１ピーク位置から時間軸上で所定の距離だけ離れた位置に対応する前記送信信号の振幅が前記閾値を超えた場合に、当該位置を第２ピーク位置として検出し、
前記第１ピーク位置及び前記第２ピーク位置に対応する前記送信信号の振幅及び位相に基づいて、前記送信信号の振幅を前記閾値まで抑圧するための抑圧信号を生成し、
前記抑圧信号を前記送信信号に合成する
ことを含むことを特徴とするピーク抑圧方法。
【発明の詳細な説明】
【技術分野】
【０００１】
本発明は、ピーク抑圧装置、無線通信装置及びピーク抑圧方法に関する。
【背景技術】
【０００２】
無線通信装置は、送信信号を電力増幅器によって増幅して送信する。従来、この電力増幅器を電力効率の高い飽和領域付近で使用するためのピーク抑圧処理と呼ばれる信号処理技術が知られている。
【０００３】
ピーク抑圧処理では、まず、送信信号の振幅が閾値を超えた場合に、この送信信号の振幅の時間軸上の位置をピーク位置として検出し、ピーク位置に対応する送信信号の振幅及び位相を用いて、送信信号の振幅を閾値以下まで抑圧するための抑圧信号を生成する。そして、生成された抑圧信号を送信信号に加算することによって、送信信号の振幅を抑圧する。ただし、かかるピーク抑圧処理では、抑圧信号の振幅の波形と、送信信号のピーク位置に対応する振幅の波形とのずれが大きくなるほど、抑圧の精度が低下する恐れがある。
【０００４】
このため、異なる波形パターンを有する複数の抑圧信号を予め保持しておき、送信信号のピーク位置に対応する振幅の波形に適合する最適な波形パターンを有する抑圧信号を選択して送信信号に加算する技術が提案されている。
【先行技術文献】
【特許文献】
【０００５】
【特許文献１】特表２０１０−５１４２９８号公報
【発明の概要】
【発明が解決しようとする課題】
【０００６】
しかしながら、最適な波形パターンを有する抑圧信号を選択する従来技術では、抑圧の精度を向上することができるものの、回路規模及び処理負荷が増大するという問題がある。
【０００７】
すなわち、上述した従来技術では、異なる波形パターンを有する複数の抑圧信号を保持するためのメモリを搭載するため、メモリの分だけ回路規模が大型化する。また、上述した従来技術では、送信信号のピーク位置に対応する振幅の波形を特定するために、振幅の幅や振幅の高さ等の形状を求める等の複雑な演算処理を行うこととなり、結果として、処理負荷が増大する。
【０００８】
開示の技術は、上記に鑑みてなされたものであって、回路規模及び処理負荷の増大を抑えつつ、抑圧の精度を向上することができるピーク抑圧装置、無線通信装置及びピーク抑圧方法を提供することを目的とする。
【課題を解決するための手段】
【０００９】
本願の開示するピーク抑圧装置は、第１ピーク位置検出部と、第２ピーク位置検出部と、抑圧信号生成部と、加算部とを備える。第１ピーク位置検出部は、送信信号の振幅変化が凸であり、かつ閾値を超えた場合に、該送信信号の振幅の時間軸上の位置を第１ピーク位置として検出する。第２ピーク位置検出部は、前記第１ピーク位置検出部によって検出された第１ピーク位置から時間軸上で所定の距離だけ離れた位置に対応する前記送信信号の振幅が前記閾値を超えた場合に、当該位置を第２ピーク位置として検出する。抑圧信号生成部は、前記第１ピーク位置検出部及び前記第２ピーク位置検出部によって検出された第１ピーク位置及び第２ピーク位置に対応する前記送信信号の振幅及び位相を用いて、前記送信信号の振幅を前記閾値以下まで抑圧するための抑圧信号を生成する。加算部は、前記抑圧信号生成部によって生成された抑圧信号を前記送信信号に加算する。
【発明の効果】
【００１０】
本願の開示するピーク抑圧装置の一つの態様によれば、回路規模及び処理負荷の増大を抑えつつ、抑圧の精度を向上することができるという効果を奏する。
【図面の簡単な説明】
【００１１】
【図１】図１は、実施例１に係るピーク抑圧装置を搭載した無線通信装置の構成を示すブロック図である。
【図２】図２は、実施例１に係るピーク抑圧装置の構成を示すブロック図である。
【図３】図３は、実施例１におけるピーク検出部の構成を示すブロック図である。
【図４】図４は、送信信号の振幅が閾値以下まで抑圧される様子を示す図である。
【図５】図５は、実施例１に係るピーク抑圧装置によるピーク抑圧処理の処理手順を示すフローチャートである。
【図６】図６は、実施例２に係るピーク抑圧装置を搭載した無線通信装置の構成を示すブロック図である。
【図７】図７は、実施例２に係るピーク抑圧装置の構成を示すブロック図である。
【図８】図８は、実施例２に係るピーク抑圧装置によるピーク抑圧処理の処理手順を示すフローチャートである。
【図９】図９は、実施例３に係るピーク抑圧装置の構成を示すブロック図である。
【図１０】図１０は、実施例３におけるピーク検出部の構成を示すブロック図である。
【図１１】図１１は、実施例３に係るピーク抑圧装置によるピーク抑圧処理の処理手順を示すフローチャートである。
【図１２】図１２は、実施例４に係るピーク抑圧装置の構成を示すブロック図である。
【図１３】図１３は、実施例４に係るピーク抑圧装置によるピーク抑圧処理の処理手順を示すフローチャートである。
【発明を実施するための形態】
【００１２】
以下に、本願の開示するピーク抑圧装置、無線通信装置及びピーク抑圧方法を図面に基づいて詳細に説明する。
【実施例１】
【００１３】
まず、図１を用いて実施例１に係るピーク抑圧装置を搭載した無線通信装置の構成を説明する。図１は、実施例１に係るピーク抑圧装置を搭載した無線通信装置の構成を示すブロック図である。図１に示すように、無線通信装置１０は、送信信号生成部１１と、帯域制限フィルタ部１２と、補間フィルタ部１３と、ピーク抑圧装置１００と、直交変調部１４と、電力増幅部１５とを有する。
【００１４】
送信信号生成部１１は、ベースバンド信号としての送信信号を生成する。帯域制限フィルタ部１２は、送信信号に対して帯域制限処理を実行する。補間フィルタ部１３は、送信信号に含まれるデータ間を補間する。ピーク抑圧装置１００は、送信信号に含まれるピーク成分を抑圧し、抑圧後の送信信号を直交変調部１４に出力する。直交変調部１４は、所定の周波数の信号と送信信号とを乗算することにより、ベースバンド帯の送信信号を無線周波数帯に変換し、変換後の送信信号を電力増幅部１５に出力する。電力増幅部１５は、送信信号を増幅してアンテナ１６に出力する。アンテナ１６は、増幅された送信信号を電波として送信する。
【００１５】
図２は、実施例１に係るピーク抑圧装置１００の構成を示すブロック図である。図２に示すように、ピーク抑圧装置１００は、ピーク検出部１１０と、抑圧信号生成部１３０と、遅延器１４０ａ、１４０ｂと、加算器１５０とを有する。
【００１６】
ピーク検出部１１０は、送信信号に含まれるピーク位置を検出する。図３は、実施例１におけるピーク検出部１１０の構成を示すブロック図である。ピーク検出部１１０は、複素乗算器１１１、遅延器１１２ａ〜１１２ｄ、凸部検出部１１３、比較器１１４、第１ピーク位置検出部１１５、第２ピーク位置検出部１１６及びＯＲ回路１１７を有する。
【００１７】
複素乗算器１１１は、送信信号と送信信号の共役複素数とを複素乗算して電力値に変換し、該電力値を遅延器１１２ａ及び比較器１１４に出力する。以下では、複素乗算器１１１から出力される送信信号の電力値を、「送信信号の振幅」と呼ぶことがあるものとする。遅延器１１２ａ〜１１２ｄは、入力される送信信号の電力値を遅延させる。
【００１８】
凸部検出部１１３は、送信信号の振幅波形が凸形状となる部分である凸部を検出する。凸部検出部１１３は、遅延器１１３ａ、１１３ｂと、比較器１１３ｃ、１１３ｄとを有する。遅延器１１３ａ、１１３ｂは、送信信号の電力値を時間軸上で１サンプル分だけ遅延させる。
【００１９】
比較器１１３ｃ、１１３ｄは、１サンプル分だけ遅延する前の送信信号の振幅と、１サンプル分だけ遅延した後の送信信号の振幅とを比較し、その比較結果を第１ピーク位置検出部１１５に出力する。具体的には、比較器１１３ｃは、遅延器１１３ａに入力される送信信号の振幅Ａ０と、遅延器１１３ａから出力される送信信号の振幅Ａ１とを比較し、Ａ０＜Ａ１となる場合に、ｔｒｕｅ信号「１」を出力する。また、比較器１１３ｄは、遅延器１１３ｂに入力される送信信号の振幅Ａ１と、遅延器１１３ｂから出力される送信信号の振幅Ａ２とを比較し、Ａ１＞Ａ２となる場合に、ｔｒｕｅ信号「１」を出力する。つまり、比較器１１３ｃ、１１３ｄは、送信信号の振幅Ａ１が他の部分と比較して高い場合に、送信信号の凸部を検出した旨を示すｔｒｕｅ信号「１」を第１ピーク位置検出部１１５にそれぞれ出力する。
【００２０】
比較器１１４は、送信信号の振幅と所定の閾値Ａｔｈとを比較する。比較器１１４は、送信信号の振幅が閾値Ａｔｈを超えた場合に、その旨を示すｔｒｕｅ信号「１」を遅延器１１２ｂ及び第２ピーク位置検出部１１６に出力する。
【００２１】
第１ピーク位置検出部１１５は、送信信号の振幅変化が凸であり、かつ閾値Ａｔｈを超えた場合に、該送信信号の振幅の時間軸上の位置を第１ピーク位置として検出する。具体的には、第１ピーク位置検出部１１５は、凸部検出部１１３からｔｒｕｅ信号を受け付け、かつ、遅延器１１２ｂを介して比較器１１４からｔｒｕｅ信号を受け付けた場合に、送信信号の凸部の頂点の位置を第１ピーク位置として検出する。そして、第１ピーク位置検出部１１５は、検出した第１ピーク位置を、第２ピーク位置検出部１１６に出力する。また、第１ピーク位置検出部１１５は、検出した第１ピーク位置を、遅延器１１２ｃを介してＯＲ回路１１７に出力する。
【００２２】
第２ピーク位置検出部１１６は、第１ピーク位置から時間軸上で所定の距離だけ離れた位置に対応する送信信号の振幅が閾値Ａｔｈを超えた場合に、当該位置を第２ピーク位置として検出する。本実施例では、第２ピーク位置検出部１１６は、後述するインパルス応答信号が時間軸と交差する位置である交差位置に対応する送信信号の振幅が閾値Ａｔｈを超えた場合に、交差位置を第２ピーク位置として検出する。具体的には、第２ピーク位置検出部１１６は、後方交差位置検出部１１６ａと、前方交差位置検出部１１６ｂとを有する。
【００２３】
後方交差位置検出部１１６ａは、第１ピーク位置を第１ピーク位置検出部１１５から受け付けると、インパルス応答信号が該インパルス応答信号の頂点よりも後方で時間軸と交差する位置である後方交差位置に対応する送信信号の振幅を監視する。そして、後方交差位置検出部１１６ａは、後方交差位置に対応する送信信号の振幅が閾値Ａｔｈを超えた場合に、後方交差位置を第２ピーク位置として検出する。具体的には、後方交差位置検出部１１６ａは、後方交差位置に対応する送信信号の振幅が閾値Ａｔｈを超えた旨を示すｔｒｕｅ信号を比較器１１４から受け付けた場合に、後方交差位置を第２ピーク位置として検出する。そして、後方交差位置検出部１１６ａは、検出した第２ピーク位置を、遅延器１１２ｄを介してＯＲ回路１１７に出力する。
【００２４】
前方交差位置検出部１１６ｂは、第１ピーク位置を第１ピーク位置検出部１１５から受け付けると、インパルス応答信号が該インパルス応答信号の頂点よりも前方で時間軸と交差する位置である前方交差位置に対応する送信信号の振幅を監視する。そして、前方交差位置検出部１１６ｂは、前方交差位置に対応する送信信号の振幅が閾値Ａｔｈを超えた場合に、前方交差位置を第２ピーク位置として検出する。具体的には、前方交差位置検出部１１６ｂは、前方交差位置に対応する送信信号の振幅が閾値Ａｔｈを超えた旨を示すｔｒｕｅ信号を比較器１１４から受け付けた場合に、前方交差位置を第２ピーク位置として検出する。そして、前方交差位置検出部１１６ｂは、検出した第２ピーク位置を、ＯＲ回路１１７に出力する。
【００２５】
ＯＲ回路１１７は、遅延器１１２ｃを介して第１ピーク位置検出部１１５から第１ピーク位置を受け付ける。ＯＲ回路１１７は、遅延器１１２ｄを介して第２ピーク位置検出部１１６の後方交差位置検出部１１６ａから第２ピーク位置を受け付ける。ＯＲ回路１１７は、第２ピーク位置検出部１１６の前方交差位置検出部１１６ｂから第２ピーク位置を受け付ける。ＯＲ回路１１７は、受け付けた第１ピーク位置及び／又は第２ピーク位置を抑圧信号生成部１３０に出力する。
【００２６】
図２に戻り、抑圧信号生成部１３０は、第１ピーク位置及び第２ピーク位置に対応する送信信号の振幅及び位相を用いて、送信信号の振幅を閾値以下まで抑圧するための抑圧信号を生成する。具体的には、抑圧信号生成部１３０は、インパルス応答信号生成部１３１、ラッチ部１３２、振幅位相パラメータ算出部１３３及び乗算器１３４を有する。
【００２７】
インパルス応答信号生成部１３１は、ピーク検出部１１０から第１ピーク位置及び第２ピーク位置を受け付けると、第１ピーク位置及び第２ピーク位置に対応するタイミングで頂点となるインパルス応答信号を生成する。インパルス応答信号生成部１３１は、生成したインパルス応答信号を複素乗算器１３４に出力する。
【００２８】
ラッチ部１３２は、ピーク検出部１１０から第１ピーク位置及び第２ピーク位置を受け付ける。ラッチ部１３２は、遅延器１４０ａから送信信号を受け付ける。ラッチ部１３２は、第１ピーク位置及び第２ピーク位置に対応する送信信号の振幅及び位相を保持（ラッチ）する。
【００２９】
振幅位相パラメータ算出部１３３は、ラッチされた送信信号の振幅と閾値Ａｔｈとの差を抑圧信号の振幅として含み、かつ、ラッチされた送信信号の位相を抑圧信号の位相として含むパラメータである振幅位相パラメータを算出する。具体的には、ラッチされた送信信号の振幅をｒ、ラッチされた送信信号の位相をθとすると、振幅位相パラメータ算出部１３３は、以下の式（１）を用いて、振幅位相パラメータを算出する。
【００３０】
（Ａｔｈ−ｒ）×ｅｘｐ（ｊθ）      ・・・  （１）
【００３１】
複素乗算器１３４は、振幅位相パラメータ算出部１３３から振幅位相パラメータを受け付ける。複素乗算器１３４は、インパルス応答信号生成部１３１からインパルス応答信号を受け付ける。複素乗算器１３４は、振幅位相パラメータをインパルス応答信号に複素乗算して抑圧信号を生成する。複素乗算器１３４は、生成した抑圧信号を加算器１５０に出力する。
【００３２】
遅延器１４０ａ、１４０ｂは、送信信号を遅延させる。遅延器１４０ａ、１４０ｂは、遅延後の送信信号を加算器１５０に出力する。
【００３３】
加算器１５０は、抑圧信号生成部１３０によって生成された抑圧信号を送信信号に加算する。これにより、第１ピーク位置に対応する送信信号の振幅及び位相を基にして生成された抑圧信号と、第２ピーク位置に対応する送信信号の振幅及び位相を基にして生成された抑圧信号とが送信信号に加算される。このため、第１ピーク位置に加えて第２ピーク位置に対応する送信信号の振幅が閾値Ａｔｈ以下まで抑圧される。
【００３４】
図４は、送信信号の振幅が閾値以下まで抑圧される様子を示す図である。図４において、横軸は、時間軸を示し、縦軸は、信号の振幅を示す。また、図４において、曲線１５１は、送信信号の振幅を示し、曲線１５２及び曲線１５３は、インパルス応答信号の振幅を示し、曲線１５４は、抑圧信号の振幅を示し、曲線１５５は、抑圧信号が加算された送信信号の振幅を示す。曲線１５１に示す送信信号の振幅が閾値Ａｔｈを超えた場合に、送信信号の振幅の時間軸上の位置ｔ１が第１ピーク位置として検出される。曲線１５２に示すインパルス応答信号が時間軸と交差する交差位置ｔ２に対応する送信信号の振幅が閾値Ａｔｈを超えた場合に、交差位置ｔ２が第２ピーク位置として検出される。そして、第１ピーク位置である位置ｔ１に対応する送信信号の振幅及び位相から抑圧信号が生成され、第２ピーク位置である交差位置ｔ２に対応する送信信号の振幅及び位相から抑圧信号が生成される。これら抑圧信号が合成されると、曲線１５４に示すような抑圧信号となる。曲線１５４に示す抑圧信号は、加算器１５０によって、曲線１５１に示す送信信号に加算される。これにより、曲線１５５に示されるように、第１ピーク位置である位置ｔ１に加えて、第２ピーク位置である交差位置ｔ２に対応する送信信号の振幅が閾値Ａｔｈ以下まで抑圧される。
【００３５】
次に、図５を用いて実施例１に係るピーク抑圧装置１００によるピーク抑圧処理の処理手順を説明する。図５は、実施例１に係るピーク抑圧装置１００によるピーク抑圧処理の処理手順を示すフローチャートである。
【００３６】
図５に示すように、ピーク検出部１１０の凸部検出部１１３は、送信信号の振幅波形が凸形状となる凸部を検出する（ステップＳ１１）。凸部検出部１１３によって凸部が検出された場合には（ステップＳ１１；Ｙｅｓ）、比較器１１４は、送信信号の振幅と閾値Ａｔｈとを比較する（ステップＳ１２）。比較器１１４によって送信信号の振幅が閾値Ａｔｈを超えたと判定された場合（ステップＳ１２；Ｙｅｓ）には、第１ピーク位置検出部１１５は、送信信号の振幅の時間軸上の位置を第１ピーク位置として検出する（ステップＳ１３）。
【００３７】
なお、凸部検出部１１３によって凸部が検出されない場合（ステップＳ１１；Ｎｏ）、又は、比較器１１４によって送信信号の振幅が閾値Ａｔｈ以下であると判定された場合（ステップＳ１２；否定）、ピーク抑圧処理は終了となる。
【００３８】
そして、抑圧信号生成部１３０のラッチ部１３２は、検出された第１ピーク位置に対応する送信信号の振幅及び位相をラッチする（ステップＳ１４）。
【００３９】
そして、第２ピーク位置検出部１１６の後方交差位置検出部１１６ａは、後方交差位置に対応する送信信号の振幅が閾値Ａｔｈ以下である場合には（ステップＳ１５；Ｎｏ）、処理をステップＳ１８に進める。一方、後方交差位置検出部１１６ａは、後方交差位置に対応する送信信号の振幅が閾値Ａｔｈを超えた場合には（ステップＳ１５；Ｙｅｓ）、後方交差位置を第２ピーク位置として検出する（ステップＳ１６）。そして、抑圧信号生成部１３０のラッチ部１３２は、第２ピーク位置である後方交差位置に対応する送信信号の振幅及び位相をラッチする（ステップＳ１７）。
【００４０】
そして、第２ピーク位置検出部１１６の前方交差位置検出部１１６ｂは、前方交差位置に対応する送信信号の振幅が閾値Ａｔｈ以下である場合には（ステップＳ１８：Ｎｏ）、処理をステップＳ２１に進める。一方、前方交差位置検出部１１６ｂは、前方交差位置に対応する送信信号の振幅が閾値Ａｔｈを超えた場合には（ステップＳ１８；Ｙｅｓ）、前方交差位置を第２ピーク位置として検出する（ステップＳ１９）。そして、抑圧信号生成部１３０のラッチ部１３２は、第２ピーク位置である前方交差位置に対応する送信信号の振幅及び位相をラッチする（ステップＳ２０）。
【００４１】
そして、抑圧信号生成部１３０の振幅位相パラメータ算出部１３３は、ステップＳ１４、Ｓ１７及びＳ２０でラッチされた送信信号の振幅及び位相を用いて振幅位相パラメータを算出する（ステップＳ２１）。そして、乗算器１３４は、振幅位相パラメータをインパルス応答信号に複素乗算して抑圧信号を生成する（ステップＳ２２）。そして、加算器１５０は、抑圧信号を送信信号に加算する（ステップＳ２３）。
【００４２】
上述してきたように、実施例１に係るピーク抑圧装置１００は、第１ピーク位置から時間軸上で所定の距離だけ離れた位置に対応する送信信号の振幅が閾値を超えた場合に、当該位置を第２ピーク位置として検出する。そして、ピーク抑圧装置１００は、第１ピーク位置及び第２ピーク位置に対応する送信信号の振幅及び位相を用いて抑圧信号を生成し、生成した抑圧信号を送信信号に加算する。これにより、第１ピーク位置に対応する送信信号の振幅及び位相を基にして生成された抑圧信号と、第２ピーク位置に対応する送信信号の振幅及び位相を基にして生成された抑圧信号とが送信信号に加算される。このため、第１ピーク位置に加えて第２ピーク位置に対応する送信信号の振幅が閾値Ａｔｈ以下まで抑圧される。したがって、ピーク抑圧装置１００は、最適な波形パターンの抑圧信号を選択する従来技術と異なり、メモリの搭載や複雑な演算処理を実行することなく、ピーク抑圧を精度良く行うことができる。結果として、回路規模及び処理負荷の増大を抑えつつ、抑圧の精度を向上することができる。
【００４３】
また、実施例１では、第２ピーク位置検出部１１６は、インパルス応答信号が時間軸と交差する交差位置に対応する送信信号の振幅が閾値を超えた場合に、当該交差位置を第２ピーク位置として検出する。このため、実施例１によれば、インパルス応答信号が時間軸と交差する交差位置に対応する送信信号の振幅が閾値を超えた場合に、当該交差位置に対応する送信信号の振幅を精度良く抑圧することができる。
【実施例２】
【００４４】
実施例１では、帯域制限フィルタ部１２をピーク抑圧装置１００の外部に搭載する場合を説明したが、実施例２では、帯域制限フィルタ部１２をピーク抑圧装置の内部に搭載する場合を説明する。以下の説明では、既に説明した部分と同様の部分には、既に説明した部分と同一の符号を付し、詳細な説明を省略する。
【００４５】
まず、図６を用いて実施例２に係るピーク抑圧装置を搭載した無線通信装置の構成を説明する。図６は、実施例２に係るピーク抑圧装置を搭載した無線通信装置の構成を示すブロック図である。図６に示すように、無線通信装置２０は、送信信号生成部１１と、補間フィルタ部１３と、ピーク抑圧装置２００と、直交変調部１４と、電力増幅部１５と、アンテナ１６とを有する。無線通信装置２０は、実施例１と異なり、帯域制限フィルタ部１２をピーク抑圧装置２００の内部に搭載する。
【００４６】
図７は、実施例２に係るピーク抑圧装置２００の構成を示すブロック図である。図７に示すように、ピーク抑圧装置２００は、ピーク検出部１１０と、抑圧信号生成部２３０と、遅延器１４０ａ、１４０ｂと、加算器１５０と、帯域制限フィルタ部１２とを有する。
【００４７】
帯域制限フィルタ部１２は、加算器１５０によって抑圧信号が加算された送信信号である合成信号に対して帯域制限処理を実行する。
【００４８】
抑圧信号生成部２３０は、実施例１におけるインパルス応答信号生成部１３１の代わりに、インパルス応答信号生成部２３１を有する。インパルス応答信号生成部２３１は、帯域制限フィルタ部１２にて合成信号に対して帯域制限処理が実行された場合に、合成信号の振幅が変化する量である振幅変化量を予め含んだ振幅を有する、インパルス状の信号をインパルス応答信号として生成する。以下では、インパルス応答信号生成部２３１によって生成されたインパルス応答信号を、「帯域制限対象インパルス応答信号」と呼ぶものとする。インパルス応答信号生成部２３１は、帯域制限対象インパルス応答信号を複素乗算器１３４に出力する。そして、複素乗算器１３４において、振幅位相パラメータが帯域制限対象インパルス応答信号に複素乗算され、抑圧信号が生成される。
【００４９】
次に、図８を用いて実施例２に係るピーク抑圧装置２００によるピーク抑圧処理の処理手順を説明する。図８は、実施例２に係るピーク抑圧装置２００によるピーク抑圧処理の処理手順を示すフローチャートである。なお、ここでは、図５に示した処理手順と同様の処理については、その詳細な説明を省略する。すなわち、図５に示したステップＳ１１〜Ｓ２１は、図８に示したステップＳ３１〜Ｓ４１にそれぞれ対応する。
【００５０】
以下、実施例２と実施例１との処理手順の差異について説明する。図８に示すように、乗算器１３４は、振幅位相パラメータを帯域制限対象インパルス応答信号に乗算して抑圧信号を生成する（ステップＳ４２）。そして、加算器１５０は、抑圧信号を送信信号に加算する（ステップＳ４３）。そして、帯域制限フィルタ部１２は、加算器１５０から出力される合成信号に対して帯域制限処理を実行する（ステップＳ４４）。
【００５１】
上述してきたように、実施例２によれば、ピーク抑圧装置２００の内部に帯域制限フィルタ部１２を搭載するため、ピーク抑圧を精度良く行うとともに、ピーク抑圧と同時に帯域制限処理を行うことができる。
【実施例３】
【００５２】
実施例１では、インパルス応答信号と時間軸との交差位置が、送信信号のサンプリング位置と一致する場合を説明した。しかしながら、インパルス応答信号と時間軸との交差位置が、送信信号のサンプリング位置と一致しない場合が想定される。この場合には、振幅位相パラメータ算出部１３３は、交差位置に対応する送信信号の振幅及び位相を取得することができず、振幅位相パラメータを算出することができない。そこで、実施例３では、送信信号のサンプリング位置に対応する送信信号の振幅に対して補間処理を行うことにより、交差位置に対応する送信信号の振幅及び位相を算出する場合を説明する。以下の説明では、既に説明した部分と同様の部分には、既に説明した部分と同一の符号を付し、詳細な説明を省略する。
【００５３】
まず、図９を用いて実施例３に係るピーク抑圧装置の構成を説明する。図９は、実施例３に係るピーク抑圧装置３００の構成を示すブロック図である。なお、実施例３に係るピーク抑圧装置３００を搭載した無線通信装置の構成は、図１に示した構成と同様であるので、その説明は省略する。
【００５４】
図９に示すように、ピーク抑圧装置３００は、ピーク検出部３１０と、抑圧信号生成部３３０と、遅延器１４０ａ、１４０ｂと、加算器１５０とを有する。
【００５５】
ピーク検出部３１０は、送信信号に含まれるピーク位置を検出する。図１０は、実施例３におけるピーク検出部３１０の構成を示すブロック図である。ピーク検出部３１０は、複素乗算器１１１、遅延器１１２ａ〜１１２ｄ、凸部検出部１１３、比較器１１４、第１ピーク位置検出部１１５、第２ピーク位置検出部３１６及びラッチ指示部３１８ａ、３１８ｂを有する。
【００５６】
第１ピーク位置検出部１１５は、送信信号の振幅が凸であり、かつ閾値Ａｔｈを超えた場合に、該送信信号の振幅の時間軸上の位置を第１ピーク位置として検出する。第１ピーク位置検出部１１５は、検出した第１ピーク位置を、遅延器１１２ｃを介して抑圧信号生成部３３０のラッチ部３３２ａ及びインパルス応答信号生成部３３１ａに出力する。
【００５７】
第２ピーク位置検出部３１６は、インパルス応答信号と時間軸との交差位置に隣接する少なくとも２つの送信信号のサンプリング位置に対応する送信信号の振幅を取得する。本実施例では、第２ピーク位置検出部３１６は、インパルス応答信号と時間軸との交差位置に最も近い、２つのサンプリング位置に対応する送信信号の振幅を取得する。そして、第２ピーク位置検出部３１６は、２つのサンプリング位置に対応する送信信号の振幅が閾値Ａｔｈを超えた場合に、当該２つのサンプリング位置を第２ピーク位置として検出する。具体的には、第２ピーク位置検出部３１６は、後方交差位置検出部３１６ａと、前方交差位置検出部３１６ｂとを有する。
【００５８】
後方交差位置検出部３１６ａは、第１ピーク位置を第１ピーク位置検出部１１５から受け付けると、後方交差位置に隣接する２つのサンプリング位置に対応する送信信号の振幅を取得する。ここで、後方交差位置は、インパルス応答信号が該インパルス応答信号の頂点よりも後方で時間軸と交差する位置である。そして、後方交差位置検出部３１６ａは、後方交差位置に隣接する２つのサンプリング位置（以下「後方サンプリング位置」という）に対応する送信信号の振幅が閾値Ａｔｈを超えた場合に、後方サンプリング位置を第２ピーク位置として検出する。具体的には、後方交差位置検出部３１６ａは、後方サンプリング位置に対応する送信信号の振幅が閾値Ａｔｈを超えた旨を示すｔｒｕｅ信号を比較器１１４から受け付けた場合に、後方サンプリング位置を第２ピーク位置として検出する。そして、後方交差位置検出部３１６ａは、検出した第２ピーク位置である後方サンプリング位置を、遅延器１１２ｄを介して抑圧信号生成部３３０のインパルス応答信号生成部３３１ｂに出力する。
【００５９】
前方交差位置検出部３１６ｂは、第１ピーク位置を第１ピーク位置検出部１１５から受け付けると、前方交差位置に隣接する２つのサンプリング位置に対応する送信信号の振幅を取得する。ここで、前方交差位置は、インパルス応答信号が該インパルス応答信号の頂点よりも後方で時間軸と交差する位置である。そして、前方交差位置検出部３１６ｂは、前方交差位置に隣接する２つのサンプリング位置（以下「前方サンプリング位置」）に対応する送信信号の振幅が閾値Ａｔｈを超えた場合に、前方サンプリング位置を第２ピーク位置として検出する。具体的には、前方交差位置検出部３１６ｂは、前方サンプリング位置に対応する送信信号の振幅が閾値Ａｔｈを超えた旨を示すｔｒｕｅ信号を比較器１１４から受け付けた場合に、前方サンプリング位置を第２ピーク位置として検出する。そして、前方交差位置検出部３１６ｂは、検出した第２ピーク位置である前方サンプリング位置を、抑圧信号生成部３３０のインパルス応答信号生成部３３１ｃに出力する。
【００６０】
ラッチ指示部３１８ａは、遅延器１１２ｄを介して後方交差位置検出部３１６ａから第２ピーク位置としての後方サンプリング位置を受け付ける。ラッチ指示部３１８ａは、後方サンプリング位置に対応する送信信号の振幅及び位相をラッチする旨を指示するラッチ指示を、抑圧信号生成部３３０のラッチ部３３２ｂ、３３２ｃにそれぞれ出力する。
【００６１】
ラッチ指示部３１８ｂは、前方交差位置検出部３１６ｂから第２ピーク位置としての前方サンプリング位置を受け付ける。ラッチ指示部３１８ｂは、前方サンプリング位置に対応する送信信号の振幅及び位相をラッチする旨を指示するラッチ指示を、抑圧信号生成部３３０のラッチ部３３２ｄ、３３２ｅにそれぞれ出力する。
【００６２】
図９に戻り、抑圧信号生成部３３０は、抑圧信号を生成する。具体的には、抑圧信号生成部３３０は、インパルス応答信号生成部３３１ａ〜３３１ｃ、ラッチ部３３２ａ〜３３２ｅ、振幅位相パラメータ算出部３３３ａ〜３３３ｃ、複素乗算器３３４ａ〜３３４ｃ及び加算器３３６ａ、３３６ｂを有する。
【００６３】
インパルス応答信号生成部３３１ａ〜３３１ｃは、ピーク検出部３１０から第１ピーク位置及び第２ピーク位置を受け付けると、第１ピーク位置及び第２ピーク位置に対応するタイミングで頂点をもつインパルス応答信号を生成する。インパルス応答信号生成部３３１ａ〜３３１ｃは、生成したインパルス応答信号を複素乗算器３３４ａ〜３３４ｃにそれぞれ出力する。
【００６４】
ラッチ部３３２ａは、ピーク検出部３１０から第１ピーク位置を受け付ける。ラッチ部３３２ａは、遅延器１４０ａから送信信号を受け付ける。ラッチ部３３２ａは、第１ピーク位置に対応する送信信号の振幅及び位相をラッチする。
【００６５】
振幅位相パラメータ算出部３３３ａは、ラッチされた、第１ピーク位置に対応する送信信号の振幅と閾値Ａｔｈとの差を抑圧信号の振幅として含み、かつ、ラッチされた送信信号の位相を抑圧信号の位相として含む振幅位相パラメータを算出する。
【００６６】
複素乗算器３３４ａは、振幅位相パラメータ算出部３３３ａから振幅位相パラメータを受け付ける。複素乗算器３３４ａは、インパルス応答信号生成部３３１ａからインパルス応答信号を受け付ける。複素乗算器３３４ａは、振幅位相パラメータをインパルス応答信号に複素乗算して、第１ピーク位置に対応する送信信号の振幅を閾値Ａｔｈ以下まで抑圧するための抑圧信号を生成する。乗算器３３４ａは、生成した抑圧信号を加算器３３６ａに出力する。
【００６７】
ラッチ部３３２ｂ、３３２ｃは、後方サンプリング位置に対応する送信信号の振幅及び位相をラッチする旨を指示するラッチ指示をピーク検出部３１０から受け付ける。ラッチ部３３２ｂ、３３２ｃは、遅延器１４０ａから送信信号を受け付ける。ラッチ部３３２ｂ、３３２ｃは、後方サンプリング位置に対応する送信信号の振幅及び位相をラッチする。
【００６８】
補間処理部３３５ａは、ラッチ部３３２ｂ、３３２ｃによってラッチされた、後方サンプリング位置に対応する送信信号の振幅及び位相に対して補間処理を行うことにより、後方交差位置に対応する送信信号の振幅及び位相を算出する。補間処理部３３５ａは、算出した、後方交差位置に対応する送信信号の振幅及び位相を振幅位相パラメータ算出部３３３ｂに出力する。
【００６９】
振幅位相パラメータ算出部３３３ｂは、後方交差位置に対応する送信信号の振幅と閾値Ａｔｈとの差を抑圧信号の振幅として含み、かつ、後方交差位置に対応する送信信号の位相を抑圧信号の位相として含む振幅位相パラメータを算出する。
【００７０】
複素乗算器３３４ｂは、振幅位相パラメータ算出部３３３ｂから振幅位相パラメータを受け付ける。複素乗算器３３４ｂは、インパルス応答信号生成部３３１ｂからインパルス応答信号を受け付ける。乗算器３３４ｂは、振幅位相パラメータをインパルス応答信号に複素乗算して、後方交差位置に対応する送信信号の振幅を閾値Ａｔｈ以下まで抑圧するための抑圧信号を生成する。乗算器３３４ｂは、生成した抑圧信号を加算器３３６ｂに出力する。
【００７１】
ラッチ部３３２ｄ、３３２ｅは、前方サンプリング位置に対応する送信信号の振幅及び位相をラッチする旨を指示するラッチ指示をピーク検出部３１０から受け付ける。ラッチ部３３２ｄ、３３２ｅは、遅延器１４０ａから送信信号を受け付ける。ラッチ部３３２ｄ、３３２ｅは、前方サンプリング位置に対応する送信信号の振幅及び位相をラッチする。
【００７２】
補間処理部３３５ｂは、ラッチ部３３２ｄ、３３２ｅによってラッチされた、前方サンプリング位置に対応する送信信号の振幅及び位相に対して補間処理を行うことにより、前方交差位置に対応する送信信号の振幅及び位相を算出する。補間処理部３３５ｂは、算出した、前方交差位置に対応する送信信号の振幅及び位相を振幅位相パラメータ算出部３３３ｃに出力する。
【００７３】
振幅位相パラメータ算出部３３３ｃは、前方交差位置に対応する送信信号の振幅と閾値Ａｔｈとの差を抑圧信号の振幅として含み、かつ、前方交差位置に対応する送信信号の位相を抑圧信号の位相として含む振幅位相パラメータを算出する。
【００７４】
複素乗算器３３４ｃは、振幅位相パラメータ算出部３３３ｃから振幅位相パラメータを受け付ける。複素乗算器３３４ｃは、インパルス応答信号生成部３３１ｃからインパルス応答信号を受け付ける。複素乗算器３３４ｃは、振幅位相パラメータをインパルス応答信号に複素乗算して、前方交差位置に対応する送信信号の振幅を閾値Ａｔｈ以下まで抑圧するための抑圧信号を生成する。複素乗算器３３４ｃは、生成した抑圧信号を加算器３３６ｂに出力する。
【００７５】
加算器３３６ｂは、複素乗算器３３４ｂから出力される抑圧信号と複素乗算器３３４ｃから出力される抑圧信号とを加算して加算器３３６ａに出力する。加算器３３６ａは、複素乗算器３３４ａから出力される抑圧信号と加算器３３６ｂから出力される抑圧信号とを加算して加算器１５０に出力する。
【００７６】
次に、図１１を用いて実施例３に係るピーク抑圧装置３００によるピーク抑圧処理の処理手順を説明する。図１１は、実施例３に係るピーク抑圧装置３００によるピーク抑圧処理の処理手順を示すフローチャートである。なお、ここでは、図５に示した処理手順と同様の処理については、その詳細な説明を省略する。すなわち、図５に示したステップＳ１１〜Ｓ１４は、図１１に示したステップＳ５１〜Ｓ５４にそれぞれ対応する。
【００７７】
以下、実施例３と実施例１との処理手順の差異について説明する。図１１に示すように、抑圧信号生成部３３０のラッチ部３３２ａは、検出された第１ピーク位置に対応する送信信号の振幅及び位相をラッチする（ステップＳ５４）。
【００７８】
そして、第２ピーク位置検出部３１６の後方交差位置検出部３１６ａは、後方サンプリング位置に対応する送信信号の振幅を取得する（ステップＳ５５）。そして、後方交差位置検出部３１６ａは、後方サンプリング位置に対応する送信信号の振幅が閾値Ａｔｈ以下である場合には（ステップＳ５６；Ｎｏ）、処理をステップＳ６０に進める。一方、後方交差位置検出部３１６ａは、後方サンプリング位置に対応する送信信号の振幅が閾値Ａｔｈを超えた場合には（ステップＳ５６；Ｙｅｓ）、後方サンプリング位置を第２ピーク位置として検出する（ステップＳ５７）。そして、抑圧信号生成部３３０のラッチ部３３２ｂ、３３２ｃは、第２ピーク位置としての後方サンプリング位置に対応する送信信号の振幅及び位相をラッチする（ステップＳ５８）。そして、補間処理部３３５ａは、ラッチ部３３２ｂ、３３２ｃによってラッチされた、後方サンプリング位置に対応する送信信号の振幅及び位相に対して補間処理を行うことにより、後方交差位置に対応する送信信号の振幅及び位相を算出する（ステップＳ５９）。
【００７９】
そして、第２ピーク位置検出部３１６の前方交差位置検出部３１６ｂは、前方サンプリング位置に対応する送信信号の振幅を取得する（ステップＳ６０）。そして、前方交差位置検出部３１６ｂは、前方サンプリング位置に対応する送信信号の振幅が閾値Ａｔｈ以下である場合には（ステップＳ６１；Ｎｏ）、処理をステップＳ６５に進める。一方、前方交差位置検出部３１６ｂは、前方サンプリング位置に対応する送信信号の振幅が閾値Ａｔｈを超えた場合には（ステップＳ６１；Ｙｅｓ）、前方サンプリング位置を第２ピーク位置として検出する（ステップＳ６２）。そして、抑圧信号生成部３３０のラッチ部３３２ｄ、３３２ｅは、第２ピーク位置としての前方サンプリング位置に対応する送信信号の振幅及び位相をラッチする（ステップＳ６３）。そして、補間処理部３３５ｂは、ラッチ部３３２ｄ、３３２ｅによってラッチされた、後方サンプリング位置に対応する送信信号の振幅及び位相に対して補間処理を行うことにより、後方交差位置に対応する送信信号の振幅及び位相を算出する（ステップＳ６４）。
【００８０】
そして、振幅位相パラメータ算出部３３３ａは、第１ピーク位置に対応する送信信号の振幅と閾値Ａｔｈとの差を抑圧信号の振幅として含み、かつ、ラッチされた送信信号の位相を抑圧信号の位相として含む振幅位相パラメータを算出する。また、振幅位相パラメータ算出部３３３ｂは、後方交差位置に対応する送信信号の振幅と閾値Ａｔｈとの差を抑圧信号の振幅として含み、かつ、後方交差位置に対応する送信信号の位相を抑圧信号の位相として含む振幅位相パラメータを算出する。また、振幅位相パラメータ算出部３３３ｃは、前方交差位置に対応する送信信号の振幅と閾値Ａｔｈとの差を抑圧信号の振幅として含み、かつ、前方交差位置に対応する送信信号の位相を抑圧信号の位相として含む振幅位相パラメータを算出する（ステップＳ６５）。
【００８１】
そして、複素乗算器３３４ａ〜３３４ｃは、振幅位相パラメータをインパルス応答信号に複素乗算して抑圧信号を生成する（ステップＳ６６）。そして、加算器１５０は、抑圧信号を送信信号に加算する（ステップＳ６７）。
【００８２】
上述してきたように、実施例３によれば、送信信号のサンプリング位置に対応する送信信号の振幅に対して補間処理を行うことにより、インパルス応答信号と時間軸との交差位置に対応する送信信号の振幅及び位相を算出する。このため、実施例３によれば、インパルス応答信号と時間軸との交差位置が、送信信号のサンプリング位置と位置しない場合でも、ピーク抑圧を精度良く行うことができる。
【実施例４】
【００８３】
実施例３では、帯域制限フィルタ部１２をピーク抑圧装置１００の外部に搭載する場合を説明したが、実施例４では、帯域制限フィルタ部１２をピーク抑圧装置の内部に搭載する場合を説明する。以下の説明では、既に説明した部分と同様の部分には、既に説明した部分と同一の符号を付し、詳細な説明を省略する。
【００８４】
まず、図１２を用いて実施例４に係るピーク抑圧装置の構成を説明する。図１２は、実施例４に係るピーク抑圧装置４００の構成を示すブロック図である。なお、実施例４に係るピーク抑圧装置４００を搭載した無線通信装置の構成は、図６に示した構成と同様であるので、その説明は省略する。
【００８５】
図１２に示すように、ピーク抑圧装置４００は、ピーク検出部４１０と、抑圧信号生成部４３０と、遅延器１４０ａ、１４０ｂと、加算器１５０と、帯域制限フィルタ部１２とを有する。抑圧信号生成部４３０は、インパルス応答信号生成部４３１ａ〜４３１ｃ、ラッチ部４３２ａ〜４３２ｅ、振幅位相パラメータ算出部４３３ａ〜４３３ｃ、複素乗算器４３４ａ〜４３４ｃ、補間処理部４３５ａ、４３５ｂ及び加算器４３６ａ、４３６ｂを有する。
【００８６】
ピーク検出部４１０は、実施例３におけるピーク検出部３１０と同様の構成であるので、その説明は省略する。
【００８７】
抑圧信号生成部４３０は、実施例３における抑圧信号生成部３３０と同様の構成を有する。したがって、同様の構成要素には、末尾が同一の参照符号を付すとともに、その詳細な説明は省略する。以下、実施例４と実施例３との主要な差異について説明する。
【００８８】
インパルス応答信号生成部４３１ａ〜４３１ｃは、帯域制限フィルタ部１２にて合成信号に対して帯域制限処理が実行された場合に、合成信号の振幅が変化する量である振幅変化量を予め含んだ振幅を有する、インパルス状の信号をインパルス応答信号として生成する。以下では、インパルス応答信号生成部４３１ａ〜４３１ｃによって生成されたインパルス応答信号を、「帯域制限対象インパルス応答信号」と呼ぶものとする。インパルス応答信号生成部４３１ａ〜４３１ｃは、帯域制限対象インパルス応答信号を複素乗算器４３４ａ〜４３４ｃにそれぞれ出力する。そして、複素乗算器４３４ａ〜４３４ｃにおいて、振幅位相パラメータが帯域制限対象インパルス応答信号に乗算され、抑圧信号が生成される。
【００８９】
次に、図１３を用いて実施例４に係るピーク抑圧装置４００によるピーク抑圧処理の処理手順を説明する。図１３は、実施例４に係るピーク抑圧装置４００によるピーク抑圧処理の処理手順を示すフローチャートである。なお、ここでは、図１１に示した処理手順と同様の処理については、その詳細な説明を省略する。すなわち、図１１に示したステップＳ５１〜Ｓ６５は、図１３に示したステップＳ７１〜Ｓ８５にそれぞれ対応する。
【００９０】
以下、実施例４と実施例３との処理手順の差異について説明する。図１３に示すように、乗算器４３４ａ〜４３４ｃは、振幅位相パラメータを帯域制限対象インパルス応答信号に複素乗算して抑圧信号を生成する（ステップＳ８６）。そして、加算器１５０は、抑圧信号を送信信号に加算する（ステップＳ８７）。そして、帯域制限フィルタ部１２は、加算器１５０から出力される合成信号に対して帯域制限処理を実行する（ステップＳ８８）。
【００９１】
上述してきたように、実施例４によれば、ピーク抑圧装置４００の内部に帯域制限フィルタ部１２を搭載するため、ピーク抑圧を精度良く行うとともに、ピーク抑圧と同時に帯域制限処理を行うことができる。
【符号の説明】
【００９２】
１０、２０  無線通信装置
１１  送信信号生成部
１２  帯域制限フィルタ部
１３  補間フィルタ部
１４  直交変調部
１５  電力増幅部
１６  アンテナ
１００、２００、３００、４００  ピーク抑圧装置
１１０、３１０、４１０  ピーク検出部
１１１  複素乗算器
１１２ａ〜１１２ｄ  遅延器
１１３  凸部検出部
１１３ａ、１１３ｂ  遅延器
１１３ｃ、１１３ｄ  比較器
１１４  比較器
１１５  第１ピーク位置検出部
１１６、３１６  第２ピーク位置検出部
１１６ａ、３１６ａ  後方交差位置検出部
１１６ｂ、３１６ｂ  前方交差位置検出部
１１７  ＯＲ回路
１３０、２３０、３３０、４３０  抑圧信号生成部
１３１、２３１、３３１ａ〜３３１ｃ、４３１ａ〜４３１ｃ  インパルス応答信号生成部
１３２、３３２ａ〜３３２ｅ、４３２ａ〜４３２ｅ  ラッチ部
１３３、３３３ａ〜３３３ｃ、４３３ａ〜４３３ｃ  振幅位相パラメータ算出部
１３４、３３４ａ〜３３４ｃ、４３４ａ〜４３４ｃ  複素乗算器
１４０ａ、１４０ｂ  遅延器
１５０  加算器
３１８ａ、３１８ｂ  ラッチ指示部
３３５ａ、３３５ｂ、４３５ａ、４３５ｂ  補間処理部
３３６ａ、３３６ｂ、４３６ａ、４３６ｂ  加算器
【図１】
2013118447.tif 000003
【図２】
2013118447.tif 000004
【図３】
2013118447.tif 000005
【図４】
2013118447.tif 000006
【図５】
2013118447.tif 000007
【図６】
2013118447.tif 000008
【図７】
2013118447.tif 000009
【図８】
2013118447.tif 000010
【図９】
2013118447.tif 000011
【図１０】
2013118447.tif 000012
【図１１】
2013118447.tif 000013
【図１２】
2013118447.tif 000014
【図１３】
2013118447.tif 000015